【事件の表示】
　特願２００４−３０４４１２「データ送信装置、データ送信方法、データ送信プログラムおよび記録媒体」拒絶査定不服審判事件〔平成１８年　５月１１日出願公開、特開２００６−１２１１９２、請求項の数（９）〕について、次のとおり審決する。
【結　論】
　原査定を取り消す。
　本願の発明は、特許すべきものとする。
【理　由】
１．手続の経緯
　本願は、平成１６年１０月１９日の出願であって、平成１９年１２月１０日付けの拒絶理由通知に対して、平成２０年２月１８日付けで手続補正がされたが、同年８月４日付けで拒絶査定がなされ、これに対し、同年９月１１日に拒絶査定に対する審判請求がなされるとともに、同年１０月１０日付けで手続補正がなされたものである。
　
２．平成２０年１０月１０日付けの手続補正についての補正却下の決定
［補正却下の決定の結論］
　　平成２０年１０月１０日付けの手続補正を却下する。
　
［理由］
　平成２０年１０月１０日付け手続補正(以下、「本件補正」という。)は、明細書の特許請求の範囲及び発明の詳細な説明についてするもので、そのうち特許請求の範囲は、補正前に、
「【請求項１】それぞれ異なる通信ネットワークに接続するための複数の通信ネットワーク接続手段と、
　これら複数の通信ネットワーク接続手段のそれぞれと対応付けて、その通信ネットワーク接続手段が接続する前記通信ネットワークの通信品質に関する情報としての通信品質情報を格納する通信品質情報格納手段と、
　前記通信ネットワーク接続手段ごとに設けられ、各相手先のアドレスと、その通信ネットワーク接続手段が接続する通信ネットワークを経由してそのアドレスに至る経路を示す情報としての経路情報とを対応付けてそれぞれ格納するアドレス経路対応テーブルと、
　前記通信品質情報格納手段に格納された前記通信品質情報を基に、送信の対象となるデータについてその送信に使用すべき通信ネットワーク接続手段を選択する使用通信ネットワーク接続手段選択手段と、
　複数の前記アドレス経路対応テーブルの中から、この使用通信ネットワーク接続手段選択手段によって選択された通信ネットワーク接続手段に対応するものを判別するアドレス経路対応テーブル判別手段と、
　前記データの宛先アドレスをこのアドレス経路対応テーブル判別手段によって判別されたアドレス経路対応テーブルで検索して、該当する経路情報を取得する経路情報取得手段と、
　この経路情報取得手段が取得した経路情報が示す経路で前記データの送信を行うデータ送信手段
とを具備することを特徴とするデータ送信装置。
【請求項２】前記複数の通信ネットワーク接続手段のそれぞれの通信状態を逐次監視する通信状況監視手段と、
　この通信状況監視手段による監視結果に応じて、前記通信品質情報格納手段に格納された通信品質情報の対応する内容を逐次変更する通信品質情報変更手段
とを更に具備することを特徴とする請求項１記載のデータ送信装置。
【請求項３】前記使用通信ネットワーク接続手段選択手段は、送信の対象となるデータの送信に要求される通信の品質としての要求品質を判別する要求品質判別手段と、前記通信品質情報格納手段に格納された前記通信品質情報の中でこの要求品質判別手段が判別した前記要求品質に最も良く適合するものを判別して、該当する通信ネットワーク接続手段を前記データの送信に使用すべき通信ネットワーク接続手段として選択する要求品質適合判別手段とを備えた手段であることを特徴とする請求項１記載のデータ送信装置。
【請求項４】複数の異なるアプリケーションソフトウェアを識別するためのアプリケーション情報と、それぞれのアプリケーションソフトウェアに適した通信の品質としてのアプリケーション別通信品質とを対応付けて格納するアプリケーション別通信品質格納手段を更に具備し、
　前記使用通信ネットワーク接続手段選択手段は、送信の対象となるデータに付加されたそのデータを使用するアプリケーションソフトウェアの前記アプリケーション情報をこのアプリケーション別通信品質格納手段で検索して該当するアプリケーション別通信品質を取得するアプリケーション別通信品質取得手段と、前記通信品質情報格納手段に格納された前記通信品質情報の中からこのアプリケーション別通信品質取得手段が取得したアプリケーション別通信品質に最も良く適合するものを判別して該当する通信ネットワーク接続手段を前記データの送信に使用すべき通信ネットワーク接続手段として選択するアプリケーション別通信品質適合判別手段とを備えた手段であることを特徴とする請求項１記載のデータ送信装置。
【請求項５】前記各相手先のアドレスと、それぞれの相手先との通信に適した通信の品質としての相手先別通信品質とを対応付けて格納する相手先別通信品質格納手段を更に具備し、
　前記使用通信ネットワーク接続手段選択手段は、送信の対象となるデータの宛先アドレスをこの相手先別通信品質格納手段で検索して該当する相手先別通信品質を取得する相手先別通信品質取得手段と、前記通信品質情報格納手段に格納された通信品質情報の中からこの相手先別通信品質取得手段が取得した相手先別通信品質に最も良く適合するものを判別して該当する通信ネットワーク接続手段を前記データの送信に使用すべき通信ネットワーク接続手段として選択する相手先別通信品質適合判別手段とを備えた手段であることを特徴とする請求項１記載のデータ送信装置。
【請求項６】前記複数のアドレス経路対応テーブルと経路情報取得手段およびデータ送信手段は、インターネットプロトコルに対応していることを特徴とする請求項１記載のデータ送信手段。
【請求項７】それぞれ異なる通信ネットワークに接続するための複数の通信ネットワーク接続手段を使用して送信を行おうとするデータについて、そのデータの送信に要求される通信の品質としての要求品質を判別する要求品質判別ステップと、
　前記複数の通信ネットワーク接続手段が接続する前記通信ネットワークの通信品質に関する情報としての通信品質情報を通信ネットワーク接続手段のそれぞれに対応付けて格納する通信品質情報格納手段の中から、この要求品質判別ステップで判別された要求品質に最も良く適合する通信品質情報を判別して、該当する通信ネットワーク接続手段を前記データの送信に使用すべき通信ネットワーク接続手段として選択する通信ネットワーク接続手段選択ステップと、
　前記通信ネットワーク接続手段ごとに設けられ、各相手先のアドレスとその通信ネットワーク接続手段が接続する通信ネットワークを経由してそのアドレスに至る経路を示す情報としての経路情報とを対応付けてそれぞれ格納するアドレス経路対応テーブルの中から、前記通信ネットワーク接続手段選択ステップで選択された通信ネットワーク接続手段に対応するものを判別するアドレス経路対応テーブル判別ステップと、
　送信の対象となる前記データの宛先アドレスをこのアドレス経路対応テーブル判別ステップで判別されたアドレス経路対応テーブルで検索して、該当する経路情報を取得する経路情報取得ステップと、
　この経路情報取得ステップで取得された経路情報が示す経路で前記データの送信を行うデータ送信ステップ
とを具備することを特徴とするデータ送信方法。
【請求項８】データ送信装置のコンピュータに、
　それぞれ異なる通信ネットワークに接続するための複数の通信ネットワーク接続手段を使用してデータ送信装置が送信を行おうとするデータについて、そのデータの送信に要求される通信の品質としての要求品質を判別する要求品質判別処理と、
　前記複数の通信ネットワーク接続手段が接続する前記通信ネットワークの通信品質に関する情報としての通信品質情報を通信ネットワーク接続手段のそれぞれに対応付けて格納する通信品質情報格納手段の中から、この要求品質判別処理で判別された要求品質に最も良く適合する通信品質情報を判別して、該当する通信ネットワーク接続手段を前記データの送信に使用すべき通信ネットワーク接続手段として選択する通信ネットワーク接続手段選択処理と、
　前記通信ネットワーク接続手段ごとに設けられ、各相手先のアドレスとその通信ネットワーク接続手段が接続する通信ネットワークを経由してそのアドレスに至る経路を示す情報としての経路情報とを対応付けてそれぞれ格納するアドレス経路対応テーブルの中から、前記通信ネットワーク接続手段選択処理で選択された通信ネットワーク接続手段に対応するものを判別するアドレス経路対応テーブル判別処理と、
　送信の対象となる前記データの宛先アドレスをこのアドレス経路対応テーブル判別処理で判別されたアドレス経路対応テーブルで検索して、該当する経路情報を取得する経路情報取得処理と、
　この経路情報取得処理で取得された経路情報が示す経路で前記データの送信を行うデータ送信処理
とを実行させることを特徴とするデータ送信プログラム。
【請求項９】それぞれ異なる通信ネットワークに接続するための複数の通信ネットワーク接続手段を使用して送信を行おうとするデータについて、そのデータの送信に要求される通信の品質としての要求品質を判別する要求品質判別手順と、
　前記複数の通信ネットワーク接続手段が接続する前記通信ネットワークの通信品質に関する情報としての通信品質情報を通信ネットワーク接続手段のそれぞれに対応付けて格納する通信品質情報格納手段の中から、この要求品質判別手順で判別された要求品質に最も良く適合する通信品質情報を判別して、該当する通信ネットワーク接続手段を前記データの送信に使用すべき通信ネットワーク接続手段として選択する通信ネットワーク接続手段選択手順と、
　前記通信ネットワーク接続手段ごとに設けられ、各相手先のアドレスとその通信ネットワーク接続手段が接続する通信ネットワークを経由してそのアドレスに至る経路を示す情報としての経路情報とを対応付けてそれぞれ格納するアドレス経路対応テーブルの中から、前記通信ネットワーク接続手段選択手順で選択された通信ネットワーク接続手段に対応するものを判別するアドレス経路対応テーブル判別手順と、
　送信の対象となる前記データの宛先アドレスをこのアドレス経路対応テーブル判別手順で判別されたアドレス経路対応テーブルで検索して、該当する経路情報を取得する経路情報取得手順と、
　この経路情報取得手順で取得された経路情報が示す経路で前記データの送信を行うデータ送信手順
とを実行させるためのプログラムを記録した機械読取り可能な記録媒体。」
　
　とあったところを、
　
「【請求項１】それぞれ異なる複数の通信ネットワークのいずれかを経由して送信データをその宛先に送信するために用意された通信ネットワーク接続手段としての複数種類の通信インタフェース部と、
　前記複数種類の通信インタフェース部のそれぞれに１つずつ対応して用意された複数の経路制御テーブルと、
　前記送信データからその送信データの宛先アドレスを抽出する宛先アドレス抽出手段と、
　前記送信データの宛先に関連して取得された、送信データの送信の際に使用すべき物理インタフェースの種類を示す使用物理インタフェース情報を基にして、前記複数の経路制御テーブルのうちの該当する経路制御テーブルを選択する経路制御テーブル選択手段と、
　この経路制御テーブル選択手段によって選択した経路制御テーブルを用いて前記送信データが前記宛先アドレス抽出手段によって抽出された宛先アドレスに至る次の送信経路を設定する送信経路設定手段
とを具備することを特徴とするデータ送信装置。
【請求項２】それぞれ異なる通信ネットワークに接続するための通信ネットワーク接続手段としての複数種類の通信インタフェース部と、
　送信データに付加された宛先情報と前記送信データの送信の際に使用すべき物理インタフェースの種類を示す使用物理インタフェース情報とを対応付けた宛先情報物理インタフェース対応テーブルと、
　前記宛先情報物理インタフェース対応テーブルを用いて、送信データの宛先情報に対応する使用物理インタフェース情報を判別する使用物理インタフェース情報判別手段と、
　この使用物理インタフェース情報判別手段によって判別された使用物理インタフェース情報を基にして送信に使用する通信インタフェース部を決定する送信先決定手段
とを具備することを特徴とするデータ送信装置。
【請求項３】前記使用物理インタフェース情報判別手段の判別した使用物理インタフェース情報に対応する前記通信インタフェース部が複数種類であるかを判別する種類数判別手段と、
　通信環境として実現すべき項目のそれぞれについて、優先度を示す数値が記述された優先度情報テーブルと、
　前記種類数判別手段によって前記通信インタフェース部が複数種類であると判別したとき、前記優先度情報テーブルを用いて優先度が最も高い通信インタフェース部を判別する優先度判別手段とを備え、
　前記送信先決定手段は、前記種類数判別手段で通信インタフェース部が複数種類であると判別したとき、前記優先度判別手段で優先度が最も高い通信インタフェース部であるとされた通信インタフェース部を送信に使用する通信インタフェース部と決定することを特徴とする請求項２記載のデータ送信装置。
【請求項４】それぞれ異なる複数の通信ネットワークのいずれかを経由して送信データをその宛先に送信するために用意された通信ネットワーク接続手段としての複数種類の通信インタフェース部の中で、前記送信データの送信の際に使用すべき物理インタフェースの種類を示す使用物理インタフェース情報を受け取る使用物理インタフェース情報受け取りステップと、
　この使用物理インタフェース情報受け取りステップで受け取った使用物理インタフェース情報が示す物理インタフェースをキーとして、個々の物理インタフェースと前記複数種類の通信インタフェース部を対応付けた通信インタフェース部情報データベースを検索するデータベース検索ステップと、
　このデータベース検索ステップで検索した通信インタフェース部から前記送信データの送信を行う送信ステップ
とを具備することを特徴とするデータ送信方法。
【請求項５】前記データベース検索ステップで複数種類の通信インタフェース部が該当したとき、通信環境として実現すべき項目のそれぞれについて、優先度を示す数値が記述された優先度情報テーブルを用いて優先度が最も高い通信インタフェース部を判別する優先度判別ステップを備え、
　前記送信ステップでは前記優先度判別ステップで優先度が最も高い通信インタフェース部であるとされた通信インタフェース部から前記送信データの送信を行うことを特徴とする請求項４記載のデータ送信方法。
【請求項６】データ送信装置のコンピュータに、
　それぞれ異なる複数の通信ネットワークのいずれかを経由して送信データをその宛先に送信するために用意された通信ネットワーク接続手段としての複数種類の通信インタフェース部の中で、前記送信データの送信の際に使用すべき物理インタフェースの種類を示す使用物理インタフェース情報を受け取る使用物理インタフェース情報受け取り処理と、
　この使用物理インタフェース情報受け取り処理で受け取った使用物理インタフェース情報が示す物理インタフェースをキーとして、個々の物理インタフェースと前記複数種類の通信インタフェース部を対応付けた通信インタフェース部情報データベースを検索するデータベース検索処理と、
　このデータベース検索処理で検索した通信インタフェース部から前記送信データの送信を行う送信処理
とを実行させることを特徴とするデータ送信プログラム。
【請求項７】前記データベース検索処理で複数種類の通信インタフェース部が該当したとき、通信環境として実現すべき項目のそれぞれについて、優先度を示す数値が記述された優先度情報テーブルを用いて優先度が最も高い通信インタフェース部を判別する優先度判別処理を備え、
　前記送信処理では前記優先度判別処理で優先度が最も高い通信インタフェース部であるとされた通信インタフェース部から前記送信データの送信を行うことを特徴とする請求項６記載のデータ送信プログラム。
【請求項８】それぞれ異なる複数の通信ネットワークのいずれかを経由して送信データをその宛先に送信するために用意された通信ネットワーク接続手段としての複数種類の通信インタフェース部の中で、前記送信データの送信の際に使用すべき物理インタフェースの種類を示す使用物理インタフェース情報を受け取る使用物理インタフェース情報受け取り手順と、
　この使用物理インタフェース情報受け取り手順で受け取った使用物理インタフェース情報が示す物理インタフェースをキーとして、個々の物理インタフェースと前記複数種類の通信インタフェース部を対応付けた通信インタフェース部情報データベースを検索するデータベース検索手順と、
　このデータベース検索手順で検索した通信インタフェース部から前記送信データの送信を行う送信手順
とを実行させるためのプログラムを記録した機械読取り可能な記録媒体。
【請求項９】前記データベース検索手順で複数種類の通信インタフェース部が該当したとき、通信環境として実現すべき項目のそれぞれについて、優先度を示す数値が記述された優先度情報テーブルを用いて優先度が最も高い通信インタフェース部を判別する優先度判別手順を備え、
　前記送信手順では前記優先度判別手順で優先度が最も高い通信インタフェース部であるとされた通信インタフェース部から前記送信データの送信を行うことを特徴とする請求項８記載の記録媒体。」
　
　と補正された。
　
　本件補正の前後の特許請求の範囲を比較すると、本件補正は、補正前の請求項１〜９に係る発明における共通の発明特定事項であった「通信品質情報格納手段」を補正後の請求項１〜９から省く補正事項を含むものであり、当該補正事項は、請求項の削除、特許請求の範囲の減縮、誤記の訂正、及び、明りようでない記載の釈明のいずれを目的としたものでもない。
　したがって、本件補正は、平成１８年法律第５５号改正附則第３条第１項によりなお従前の例によるとされる同法による改正前の特許法第１７条の２第４項の規定に違反するものであるから、同法第１５９条第１項において読み替えて準用する同法第５３条第１項の規定により却下すべきものである。
　
３．本願発明について
　平成２０年１０月１０日付けの手続補正は上記のとおり却下されたので、本願の請求項１〜９に係る発明は、平成２０年２月１８日付けで補正された明細書の、特許請求の範囲の請求項１〜９に記載された事項により特定されるとおりのものであると認める。
　そして、本願については、原査定の拒絶理由を検討してもその理由によって拒絶すべきものとすることはできない。
　また、他に本願を拒絶すべき理由を発見しない。
　
　よって、結論のとおり審決する。